(57)【特許請求の範囲】
【請求項１】
利用者の呼気中のアルコール濃度を測定することができる呼気アルコール測定器であって、
呼気中のアルコール濃度の測定である呼気測定を実行する呼気測定手段と、前記呼気アルコール測定器の周囲の気体中のアルコール濃度の測定である周囲気体測定を実行する周囲気体測定手段とを備えており、
前記周囲気体測定手段は、前記呼気測定の開始前に前記周囲気体測定を実行し、
前記呼気測定手段は、前記周囲気体測定によって測定されたアルコール濃度が前記呼気測定の実行の開始の中止のための所定の濃度以上である場合、前記呼気測定の実行の開始を中止することを特徴とする呼気アルコール測定器。
【請求項２】
吹き込まれた呼気を検知する呼気センサーを備えており、
前記周囲気体測定手段は、前記呼気センサーによって検知された呼気の量が前記周囲気体測定の実行の開始の中止のための所定の量以上である場合、前記周囲気体測定の実行の開始を中止することを特徴とする請求項１に記載の呼気アルコール測定器。
【請求項３】
前記呼気測定手段は、前記呼気センサーによって検知された呼気の量が前記呼気測定の実行のための所定の量以上である場合、前記呼気測定を実行することを特徴とする請求項２に記載の呼気アルコール測定器。
【請求項４】
前記周囲気体測定の実行の開始が中止される場合に前記呼気センサーによる検知の結果を視覚的な通知方法および聴覚的な通知方法の少なくとも一方によって通知する呼気検知結果通知手段を備えていることを特徴とする請求項２または請求項３に記載の呼気アルコール測定器。
【請求項５】
前記周囲気体測定の実行の開始が中止される場合に前記呼気センサーによる検知の結果を記憶する呼気検知結果記憶手段を備えていることを特徴とする請求項２から請求項４までの何れかに記載の呼気アルコール測定器。
【請求項６】
前記周囲気体測定の実行の開始が中止される場合に前記呼気センサーによる検知の結果を外部に送信する呼気検知結果送信手段を備えていることを特徴とする請求項２から請求項５までの何れかに記載の呼気アルコール測定器。
【請求項７】
気体中のアルコール濃度を測定する燃料電池式のアルコールセンサーを備えており、
前記アルコールセンサーは、アルコールを燃焼させて起電力を発生させる触媒と、前記触媒を取り囲むケースとを備えており、
前記呼気測定手段は、前記アルコールセンサーによって前記呼気測定を実行し、
前記周囲気体測定手段は、前記アルコールセンサーによって前記周囲気体測定を実行することを特徴とする請求項１から請求項６までの何れかに記載の呼気アルコール測定器。
【請求項８】
前記呼気測定の実行の開始が中止される場合に前記周囲気体測定の結果を視覚的な通知方法および聴覚的な通知方法の少なくとも一方によって通知する周囲気体測定結果通知手段を備えていることを特徴とする請求項１から請求項７までの何れかに記載の呼気アルコール測定器。
【請求項９】
前記呼気測定の実行の開始が中止される場合に前記周囲気体測定の結果を記憶する周囲気体測定結果記憶手段を備えていることを特徴とする請求項１から請求項８までの何れかに記載の呼気アルコール測定器。
【請求項１０】
前記呼気測定の実行の開始が中止される場合に前記周囲気体測定の結果を外部に送信する周囲気体測定結果送信手段を備えていることを特徴とする請求項１から請求項９までの何れかに記載の呼気アルコール測定器。
【請求項１１】
呼気アルコール測定器による呼気中のアルコール濃度の測定である呼気測定の開始前に、前記呼気アルコール測定器の周囲の気体中のアルコール濃度の測定である周囲気体測定を前記呼気アルコール測定器によって実行し、
前記周囲気体測定によって測定されたアルコール濃度が前記呼気測定の実行の開始の中止のための所定の濃度以上である場合、前記呼気測定の実行の開始を中止することを特徴とする呼気アルコール測定方法。
【発明の詳細な説明】
【技術分野】
【０００１】
本発明は、利用者の呼気中のアルコール濃度を測定することができる呼気アルコール測定器に関する。
【背景技術】
【０００２】
従来、利用者の呼気中のアルコール濃度を測定することができる呼気アルコール測定器が知られている（例えば、特許文献１参照。）。
【先行技術文献】
【特許文献】
【０００３】
【特許文献１】特開２００７−１２１０４８号公報
【発明の概要】
【発明が解決しようとする課題】
【０００４】
しかしながら、従来の呼気アルコール測定器においては、呼気アルコール測定器の周囲の気体中のアルコール濃度が高い場合、利用者の呼気中のアルコール濃度が低かったとしても、利用者の呼気中のアルコール濃度ではなく、測定前に呼気アルコール測定器の内部に入り込んでいた周囲の気体中のアルコール濃度を誤って測定してしまう可能性があるという問題がある。
【０００５】
また、従来の呼気アルコール測定器においては、周囲の気体中のアルコール濃度が高い場合、利用者の呼気中の本当のアルコール濃度が低かったとしても、利用者によって吸い込まれてそのまま吐き出されただけの周囲の気体中のアルコール濃度を誤って測定してしまう可能性があるという問題もある。
【０００６】
そこで、本発明は、周囲の気体中のアルコール濃度を誤って測定することを抑えることができる呼気アルコール測定器を提供することを目的とする。
【課題を解決するための手段】
【０００７】
本発明の呼気アルコール測定器は、利用者の呼気中のアルコール濃度を測定することができる呼気アルコール測定器であって、呼気中のアルコール濃度の測定である呼気測定を実行する呼気測定手段と、前記呼気アルコール測定器の周囲の気体中のアルコール濃度の測定である周囲気体測定を実行する周囲気体測定手段とを備えており、前記周囲気体測定手段は、前記呼気測定の開始前に前記周囲気体測定を実行し、前記呼気測定手段は、前記周囲気体測定によって測定されたアルコール濃度が前記呼気測定の実行の開始の中止のための所定の濃度以上である場合、前記呼気測定の実行の開始を中止することを特徴とする。
【０００８】
この構成により、本発明の呼気アルコール測定器は、呼気測定の開始前に周囲気体測定を実行し、周囲気体測定によって測定されたアルコール濃度が所定の濃度以上である場合に呼気測定の実行の開始を中止するので、周囲の気体中のアルコール濃度を呼気測定において誤って測定することを抑えることができる。
【０００９】
また、本発明の呼気アルコール測定器は、気体中のアルコール濃度を測定する燃料電池式のアルコールセンサーを備えており、前記アルコールセンサーは、アルコールを燃焼させて起電力を発生させる触媒と、前記触媒を取り囲むケースとを備えており、前記呼気測定手段は、前記アルコールセンサーによって前記呼気測定を実行し、前記周囲気体測定手段は、前記アルコールセンサーによって前記周囲気体測定を実行しても良い。
【００１０】
この構成により、本発明の呼気アルコール測定器は、アルコール濃度が高い呼気が呼気測定によってアルコールセンサーのケース内に残留した場合であっても、次回の周囲気体測定によって測定されたアルコール濃度が所定の濃度以上であるときに次回の呼気測定の実行の開始を中止するので、ケース内に残留した呼気によって次回の呼気測定においてアルコール濃度を誤って測定することを抑えることができる。
【００１１】
また、本発明の呼気アルコール測定器は、吹き込まれた呼気を検知する呼気センサーを備えており、前記周囲気体測定手段は、前記呼気センサーによって検知された呼気の量が前記周囲気体測定の実行の開始の中止のための所定の量以上である場合、前記周囲気体測定の実行の開始を中止しても良い。
【００１２】
この構成により、本発明の呼気アルコール測定器は、吹き込まれた呼気の量が所定の量以上である場合に周囲気体測定の実行の開始を中止するので、周囲気体測定において呼気を吹き込むことによって呼気中のアルコール濃度を呼気測定前に把握するという不正の発生を抑えることができる。
【００１３】
また、本発明の呼気アルコール測定器の前記呼気測定手段は、前記呼気センサーによって検知された呼気の量が前記呼気測定の実行のための所定の量以上である場合、前記呼気測定を実行しても良い。
【００１４】
この構成により、本発明の呼気アルコール測定器は、周囲気体測定の実行の開始の中止を判断するための呼気の量と、呼気測定の実行を判断するための呼気の量とを同一の呼気センサーによって検知するので、部品点数を抑えることができる。
【００１５】
また、本発明の呼気アルコール測定器は、前記周囲気体測定の実行の開始が中止される場合に前記呼気センサーによる検知の結果を視覚的な通知方法および聴覚的な通知方法の少なくとも一方によって通知する呼気検知結果通知手段を備えていても良い。
【００１６】
この構成により、本発明の呼気アルコール測定器は、呼気センサーによる検知の結果を利用者に認識させることができる。
【００１７】
また、本発明の呼気アルコール測定器は、前記周囲気体測定の実行の開始が中止される場合に前記呼気センサーによる検知の結果を記憶する呼気検知結果記憶手段を備えていても良い。
【００１８】
この構成により、本発明の呼気アルコール測定器は、呼気センサーによる検知の結果を残すことができる。
【００１９】
また、本発明の呼気アルコール測定器は、前記周囲気体測定の実行の開始が中止される場合に前記呼気センサーによる検知の結果を外部に送信する呼気検知結果送信手段を備えていても良い。
【００２０】
この構成により、本発明の呼気アルコール測定器は、呼気センサーによる検知の結果を外部の装置に利用させることができる。
【００２１】
また、本発明の呼気アルコール測定器は、前記呼気測定の実行の開始が中止される場合に前記周囲気体測定の結果を視覚的な通知方法および聴覚的な通知方法の少なくとも一方によって通知する周囲気体測定結果通知手段を備えていても良い。
【００２２】
この構成により、本発明の呼気アルコール測定器は、周囲気体測定の結果を利用者に認識させることができる。
【００２３】
また、本発明の呼気アルコール測定器は、前記呼気測定の実行の開始が中止される場合に前記周囲気体測定の結果を記憶する周囲気体測定結果記憶手段を備えていても良い。
【００２４】
この構成により、本発明の呼気アルコール測定器は、周囲気体測定の結果を残すことができる。
【００２５】
また、本発明の呼気アルコール測定器は、前記呼気測定の実行の開始が中止される場合に前記周囲気体測定の結果を外部に送信する周囲気体測定結果送信手段を備えていても良い。
【００２６】
この構成により、本発明の呼気アルコール測定器は、周囲気体測定の結果を外部の装置に利用させることができる。
【００２７】
本発明の呼気アルコール測定方法は、呼気アルコール測定器による呼気中のアルコール濃度の測定である呼気測定の開始前に、前記呼気アルコール測定器の周囲の気体中のアルコール濃度の測定である周囲気体測定を前記呼気アルコール測定器によって実行し、前記周囲気体測定によって測定されたアルコール濃度が前記呼気測定の実行の開始の中止のための所定の濃度以上である場合、前記呼気測定の実行の開始を中止することを特徴とする。
【００２８】
この構成により、本発明の呼気アルコール測定方法は、呼気測定の開始前に周囲気体測定を実行し、周囲気体測定によって測定されたアルコール濃度が所定の濃度以上である場合に呼気測定の実行の開始を中止するので、呼気アルコール測定器の周囲の気体中のアルコール濃度を呼気アルコール測定器による呼気測定において誤って測定することを抑えることができる。
【発明の効果】
【００２９】
本発明の呼気アルコール測定器は、周囲の気体中のアルコール濃度を誤って測定することを抑えることができる。
【図面の簡単な説明】
【００３０】
【図１】本発明の一実施の形態に係るアルコール測定システムの構成図である。
【図２】図１に示す呼気アルコール測定器の正面図である。
【図３】図１に示す呼気アルコール測定器のブロック図である。
【図４】図３に示すアルコールセンサーの断面図である。
【図５】図１に示す携帯通信端末のブロック図である。
【図６】図１に示す管理用コンピューターのブロック図である。
【図７】図１に示す呼気アルコール測定器の動作のフローチャートである。
【図８】図７の続きのフローチャートである。
【図９】図１に示す携帯通信端末の動作のフローチャートである。
【図１０】図１に示す管理用コンピューターの動作のフローチャートである。
【発明を実施するための形態】
【００３１】
以下、本発明の一実施の形態について、図面を用いて説明する。
【００３２】
まず、本実施の形態に係るアルコール測定システムの構成について説明する。
【００３３】
図１は、本実施の形態に係るアルコール測定システム１０の構成図である。
【００３４】
図１に示すように、アルコール測定システム１０は、利用者の呼気中のアルコール濃度を測定することができる呼気アルコール測定器２０と、利用者によって携帯される携帯電話などの携帯通信端末４０と、呼気アルコール測定器２０による測定結果を管理するためのＰＣ（Ｐｅｒｓｏｎａｌ  Ｃｏｍｐｕｔｅｒ）などの管理用コンピューター５０とを備えている。呼気アルコール測定器２０と、携帯通信端末４０とは、例えば通信ケーブル１１を介して互いに接続されることが可能である。携帯通信端末４０および管理用コンピューター５０は、例えばインターネット１２を介して互いに接続されることが可能である。
【００３５】
図２は、呼気アルコール測定器２０の正面図である。
【００３６】
図２に示すように、呼気アルコール測定器２０は、本体ケース２１と、本体ケース２１に着脱可能なマウスピース２２と、通信ケーブル１１（図１参照。）を介して携帯通信端末４０（図１参照。）と通信を行うための通信インターフェイス２３と、各種の情報を表示するためのＬＣＤ（Ｌｉｑｕｉｄ  Ｃｒｙｓｔａｌ  Ｄｉｓｐｌａｙ）などの表示器２４と、音を出力するためのブザー２５と、利用者からの操作を受け付けるスイッチ２６とを備えている。
【００３７】
図３は、呼気アルコール測定器２０のブロック図である。
【００３８】
図３に示すように、呼気アルコール測定器２０は、呼気アルコール測定器２０全体を制御する制御部２７と、マウスピース２２から吹き込まれる気体の量を測定する本発明の呼気センサーとしての流量センサー２８と、マウスピース２２から吹き込まれる気体中のアルコール濃度を測定する燃料電池式のアルコールセンサー２９と、アルコールセンサー２９の温度を測定する温度センサー３０と、アルコールセンサー２９を加熱するヒーター３１と、呼気アルコール測定器２０内に導入された気体のうち一定の体積の気体をアルコールセンサー２９内に取り込むための吸引ポンプ３２と、各種の情報を記憶するためのフラッシュメモリなどの記憶装置３３と、本体ケース２１（図２参照。）に着脱可能であって商用電源からの交流電力を直流電力に変換するＡＣアダプター３４と、ＡＣアダプター３４からの直流電力の電圧を変換するＤＣ−ＤＣコンバーター３５と、呼気アルコール測定器２０が利用者によって携帯されることを可能にするために電力を蓄えるバッテリー３６と、バッテリー３６に充電を行う充電回路３７とを備えている。
【００３９】
呼気アルコール測定器２０は、商用電源からＡＣアダプター３４およびＤＣ−ＤＣコンバーター３５を介して供給される電力を充電回路３７によってバッテリー３６に充電することによって、バッテリー３６から供給される電力によって動作することができる。また、呼気アルコール測定器２０は、バッテリー３６から供給される電力ではなく、商用電源からＡＣアダプター３４およびＤＣ−ＤＣコンバーター３５を介して直接供給される電力によって動作することもできる。
【００４０】
制御部２７は、通信インターフェイス２３、表示器２４、ブザー２５、スイッチ２６、流量センサー２８、アルコールセンサー２９、温度センサー３０、ヒーター３１、吸引ポンプ３２、記憶装置３３、ＤＣ−ＤＣコンバーター３５、バッテリー３６および充電回路３７に接続されている。
【００４１】
制御部２７は、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられる書き換え可能な揮発性の記憶装置であるＲＡＭ（Ｒａｎｄｏｍ  Ａｃｃｅｓｓ  Ｍｅｍｏｒｙ）とを備えている。ＣＰＵは、ＲＯＭに記憶されているプログラムを実行することによって制御部２７を動作させる演算処理装置である。ＲＡＭは、ＣＰＵによってプログラムが実行されるときにプログラムや各種のデータを一時的に記憶するようになっている。
【００４２】
制御部２７は、呼気アルコール測定器２０内に導入された気体中のアルコール濃度を、アルコールセンサー２９に発生した起電力と、吸引ポンプ３２によってアルコールセンサー２９内に取り込まれた気体の体積とに基づいて演算によって取得する。
【００４３】
図４は、アルコールセンサー２９の断面図である。
【００４４】
図４に示すように、アルコールセンサー２９は、エタノールを燃焼させて起電力を発生させる触媒２９ａと、触媒２９ａを取り囲むケースであるセル２９ｂと、触媒２９ａに発生した起電力を外部に取り出すための電極２９ｃとを備えている。セル２９ｂは、気体の出入口２９ｄ、２９ｅが形成されている。出入口２９ｄは、マウスピース２２（図２参照。）が本体ケース２１（図２参照。）に装着された場合に、マウスピース２２に連通するように配置されている。出入口２９ｅは、吸引ポンプ３２に連通している。
【００４５】
図５は、携帯通信端末４０のブロック図である。
【００４６】
図５に示すように、携帯通信端末４０は、携帯通信端末４０全体を制御する制御部４１と、通信ケーブル１１（図１参照。）を介して呼気アルコール測定器２０（図１参照。）と通信を行うための通信インターフェイス４２と、インターネット１２（図１参照。）を介して管理用コンピューター５０（図１参照。）と通信を行うための無線通信部４３と、各種の情報を表示するためのＬＣＤなどの表示器４４と、利用者からの操作を受け付けるキーパッドなどの操作部４５と、各種の情報を記憶するためのフラッシュメモリなどの記憶装置４６とを備えている。携帯通信端末４０は、図示していないが呼気アルコール測定器２０と同様に商用電源やバッテリーによって駆動するようになっている。
【００４７】
制御部４１は、ＣＰＵと、プログラムおよび各種のデータを予め記憶しているＲＯＭと、ＣＰＵの作業領域として用いられる書き換え可能な揮発性の記憶装置であるＲＡＭとを備えている。ＣＰＵは、ＲＯＭに記憶されているプログラムを実行することによって制御部４１を動作させる演算処理装置である。ＲＡＭは、ＣＰＵによってプログラムが実行されるときにプログラムや各種のデータを一時的に記憶するようになっている。
【００４８】
記憶装置４６には、管理用コンピューター５０によって電子メールを受信することができる管理用の電子メールアドレスが記憶されている。
【００４９】
図６は、管理用コンピューター５０のブロック図である。
【００５０】
図６に示すように、管理用コンピューター５０は、管理用コンピューター５０全体を制御する制御部５１と、インターネット１２（図１参照。）を介して携帯通信端末４０（図１参照。）と通信を行うための通信インターフェイス５２と、各種の情報を表示するためのＬＣＤなどの表示器５３と、利用者からの操作を受け付けるキーボードやマウスなどの操作部５４と、各種の情報を記憶するためのＨＤＤ（Ｈａｒｄ  Ｄｉｓｋ  Ｄｒｉｖｅ）などの記憶装置５５とを備えている。管理用コンピューター５０は、図示していないが呼気アルコール測定器２０と同様に商用電源やバッテリーによって駆動するようになっている。
【００５１】
制御部５１は、ＣＰＵと、プログラムおよび各種のデータを予め記憶しているＲＯＭと、ＣＰＵの作業領域として用いられる書き換え可能な揮発性の記憶装置であるＲＡＭとを備えている。ＣＰＵは、ＲＯＭや記憶装置５５に記憶されているプログラムを実行することによって制御部５１を動作させる演算処理装置である。ＲＡＭは、ＣＰＵによってプログラムが実行されるときにプログラムや各種のデータを一時的に記憶するようになっている。
【００５２】
次に、アルコール測定システム１０の動作について説明する。
【００５３】
図７は、呼気アルコール測定器２０の動作のフローチャートである。図８は、図７の続きのフローチャートである。
【００５４】
呼気アルコール測定器２０は、スイッチ２６が押されることによって電源がＯＮにされると、図７および図８に示す処理を開始する。
【００５５】
図７および図８に示すように、呼気アルコール測定器２０の制御部２７は、アルコールセンサー２９のウォームアップを開始する（Ｓ１０１）。ここで、ウォームアップとは、温度センサー３０によってアルコールセンサー２９の温度を測定しながら、ヒーター３１によってアルコールセンサー２９の温度を適正な温度に加熱することである。適正な温度とは、アルコールセンサー２９が気体中のアルコール濃度を正確に測定することができるための所定の温度である。なお、制御部２７は、アルコールセンサー２９と同様に、流量センサー２８のウォームアップを実行するようになっていても良い。
【００５６】
次いで、制御部２７は、アルコールセンサー２９のウォームアップを開始してから１５秒が経過するまで、アルコールセンサー２９のウォームアップを開始してから１５秒が経過したか否かを判断する（Ｓ１０２）。ここで、１５秒という時間は、ウォームアップが完了するための十分な時間として予め設定されている時間である。
【００５７】
次いで、制御部２７は、アルコールセンサー２９のウォームアップを開始してから１５秒が経過したとＳ１０２において判断すると、起動されてから累積で２秒以上の呼気の吹き込みがあったか否かを判断する（Ｓ１０３）。ここで、制御部２７は、流量センサー２８が気体の流れを測定した場合に、呼気の吹き込みがあったと判断する。つまり、制御部２７は、流量センサー２８によって検知された呼気の量が後述する周囲気体測定の実行の開始の中止のための所定の量以上であるか否か、すなわち、起動されてから累積で２秒以上の呼気の吹き込みがあったか否かを判断する。２秒という時間は、仮にアルコールを含んだ呼気の吹き込みがあって周囲気体測定において不合格になった場合であっても、周囲気体測定においてアルコールセンサー２９のセル２９ｂ内に取り込まれてセル２９ｂ内に残留した呼気中のアルコールが触媒２９ａによって燃焼されることによって、次回の周囲気体測定および後述する呼気測定においてアルコール濃度を誤って測定することを抑えることができる十分な時間として予め設定されている時間である。
【００５８】
制御部２７は、起動されてから累積で２秒以上の呼気の吹き込みがあったとＳ１０３において判断すると、起動されてから累積で２秒以上の呼気の吹き込みがあったことを示す情報である呼気検知情報を表示器２４およびブザー２５によって利用者に通知し（Ｓ１０４）、呼気検知情報を記憶装置３３に記憶し（Ｓ１０５）、呼気検知情報を通信インターフェイス２３を介して携帯通信端末４０に送信する（Ｓ１０６）。このように、制御部２７は、流量センサー２８による検知の結果である呼気検知情報を視覚的な通知方法および聴覚的な通知方法によって通知する（Ｓ１０４）ようになっており、本発明の呼気検知結果通知手段を構成している。また、制御部２７は、呼気検知情報を記憶する（Ｓ１０５）ようになっており、本発明の呼気検知結果記憶手段を構成している。また、制御部２７は、呼気検知情報を外部に送信する（Ｓ１０６）ようになっており、本発明の呼気検知結果送信手段を構成している。
【００５９】
次いで、制御部２７は、電源をＯＦＦにする処理を開始して（Ｓ１０７）、図７および図８に示す処理を終了する。
【００６０】
制御部２７は、起動されてから累積で２秒以上の呼気の吹き込みがなかったとＳ１０３において判断すると、周囲の気体中のアルコール濃度の測定である周囲気体測定を実行する（Ｓ１２１）。具体的には、制御部２７は、呼気アルコール測定器２０の周囲の気体をマウスピース２２を介してアルコールセンサー２９のセル２９ｂ内に吸引ポンプ３２によって取り込み、アルコールセンサー２９の触媒２９ａに発生した起電力に基づいてアルコール濃度を演算によって取得する。なお、周囲気体測定において、セル２９ｂ内への気体の取り込みは一瞬で終了するが、触媒２９ａにおける起電力の発生と、制御部２７によるアルコール濃度の演算とに時間を要する。そのため、周囲気体測定全体としては、５秒程度の時間が必要である。このように、制御部２７は、周囲気体測定を実行するようになっており、本発明の周囲気体測定手段を構成している。
【００６１】
次いで、制御部２７は、周囲気体測定によって測定されたアルコール濃度が呼気測定の実行の開始の中止のための所定の濃度以上であるか否かを判断する（Ｓ１２２）。
【００６２】
制御部２７は、周囲気体測定によって測定されたアルコール濃度が所定の濃度以上であるとＳ１２２において判断すると、周囲気体測定が不合格であることを示す情報である周囲気体ＮＧ情報を表示器２４およびブザー２５によって利用者に通知し（Ｓ１２３）、周囲気体ＮＧ情報を記憶装置３３に記憶し（Ｓ１２４）、周囲気体ＮＧ情報を通信インターフェイス２３を介して携帯通信端末４０に送信する（Ｓ１２５）。このように、制御部２７は、周囲気体測定の結果である周囲気体ＮＧ情報を視覚的な通知方法および聴覚的な通知方法によって通知する（Ｓ１２３）ようになっており、本発明の周囲気体測定結果通知手段を構成している。また、制御部２７は、周囲気体ＮＧ情報を記憶する（Ｓ１２４）ようになっており、本発明の周囲気体測定結果記憶手段を構成している。また、制御部２７は、周囲気体ＮＧ情報を外部に送信する（Ｓ１２５）ようになっており、本発明の周囲気体測定結果送信手段を構成している。
【００６３】
次いで、制御部２７は、電源をＯＦＦにする処理を開始して（Ｓ１０７）、図７および図８に示す処理を終了する。
【００６４】
制御部２７は、周囲気体測定によって測定されたアルコール濃度が所定の濃度以上ではないとＳ１２２において判断すると、利用者に対して呼気の吹き込みを表示器２４およびブザー２５によって促す（Ｓ１２６）。
【００６５】
次いで、制御部２７は、連続して３秒以上の呼気の吹き込みがあったと判断するまで、連続して３秒以上の呼気の吹き込みがあったか否かを判断する（Ｓ１２７）。ここで、制御部２７は、流量センサー２８が気体の流れを測定した場合に、呼気の吹き込みがあったと判断する。つまり、制御部２７は、流量センサー２８によって検知された呼気の量が呼気測定の実行のための所定の量以上であるか否か、すなわち、連続して３秒以上の呼気の吹き込みがあったか否かを判断する。
【００６６】
制御部２７は、連続して３秒以上の呼気の吹き込みがあったとＳ１２７において判断すると、呼気中のアルコール濃度の測定である呼気測定を実行する（Ｓ１２８）。具体的には、制御部２７は、利用者によってマウスピース２２を介して本体ケース２１内に吹き込まれた呼気をアルコールセンサー２９のセル２９ｂ内に吸引ポンプ３２によって取り込み、アルコールセンサー２９の触媒２９ａに発生した起電力に基づいてアルコール濃度を演算によって取得する。なお、呼気測定と、周囲気体測定とは、対象としている気体の種類が異なるが、動作自体は同じである。このように、制御部２７は、呼気測定を実行するようになっており、本発明の呼気測定手段を構成している。
【００６７】
次いで、制御部２７は、呼気測定の結果を示す情報である呼気測定結果情報を表示器２４およびブザー２５によって利用者に通知し（Ｓ１２９）、呼気測定結果情報を記憶装置３３に記憶し（Ｓ１３０）、呼気測定結果情報を通信インターフェイス２３を介して携帯通信端末４０に送信する（Ｓ１３１）。
【００６８】
次いで、制御部２７は、電源をＯＦＦにする処理を開始して（Ｓ１０７）、図７および図８に示す処理を終了する。
【００６９】
図９は、携帯通信端末４０の動作のフローチャートである。
【００７０】
携帯通信端末４０は、操作部４５からの操作によって呼気測定用のアプリケーションが起動されると、図９に示す処理を開始する。
【００７１】
図９に示すように、携帯通信端末４０の制御部４１は、利用者にＩＤの入力を促す画面を表示器４４に表示し（Ｓ１４１）、利用者による操作部４５からのＩＤの入力が終了したと判断するまで、利用者による操作部４５からのＩＤの入力が終了したか否かを判断する（Ｓ１４２）。
【００７２】
次いで、制御部４１は、呼気検知情報を通信インターフェイス４２を介して呼気アルコール測定器２０から受信したか否かを判断する（Ｓ１４３）。
【００７３】
制御部４１は、呼気検知情報を通信インターフェイス４２を介して呼気アルコール測定器２０から受信したとＳ１４３において判断すると、受信した呼気検知情報に、Ｓ１４２において入力されたＩＤを加える（Ｓ１４４）。
【００７４】
次いで、制御部４１は、Ｓ１４４においてＩＤを加えた呼気検知情報を記憶装置４６に記憶する（Ｓ１４５）。
【００７５】
次いで、制御部４１は、無線通信部４３を介してインターネット１２に接続した後、Ｓ１４４においてＩＤを加えた呼気検知情報を管理用の電子メールアドレス宛てに電子メールによって送信し（Ｓ１４６）、再びＳ１４１の処理に戻る。
【００７６】
制御部４１は、呼気検知情報を通信インターフェイス４２を介して呼気アルコール測定器２０から受信していないとＳ１４３において判断すると、周囲気体ＮＧ情報を通信インターフェイス４２を介して呼気アルコール測定器２０から受信したか否かを判断する（Ｓ１４７）。
【００７７】
制御部４１は、周囲気体ＮＧ情報を通信インターフェイス４２を介して呼気アルコール測定器２０から受信したとＳ１４７において判断すると、受信した周囲気体ＮＧ情報に、Ｓ１４２において入力されたＩＤを加える（Ｓ１４８）。
【００７８】
次いで、制御部４１は、Ｓ１４８においてＩＤを加えた周囲気体ＮＧ情報を記憶装置４６に記憶する（Ｓ１４９）。
【００７９】
次いで、制御部４１は、無線通信部４３を介してインターネット１２に接続した後、Ｓ１４８においてＩＤを加えた周囲気体ＮＧ情報を管理用の電子メールアドレス宛てに電子メールによって送信し（Ｓ１５０）、再びＳ１４１の処理に戻る。
【００８０】
制御部４１は、周囲気体ＮＧ情報を通信インターフェイス４２を介して呼気アルコール測定器２０から受信していないとＳ１４７において判断すると、呼気測定結果情報を通信インターフェイス４２を介して呼気アルコール測定器２０から受信したか否かを判断する（Ｓ１５１）。
【００８１】
制御部４１は、呼気測定結果情報を通信インターフェイス４２を介して呼気アルコール測定器２０から受信したとＳ１５１において判断すると、受信した呼気測定結果情報に、Ｓ１４２において入力されたＩＤを加える（Ｓ１５２）。
【００８２】
次いで、制御部４１は、Ｓ１５２においてＩＤを加えた呼気測定結果情報を記憶装置４６に記憶する（Ｓ１５３）。
【００８３】
次いで、制御部４１は、無線通信部４３を介してインターネット１２に接続した後、Ｓ１５２においてＩＤを加えた呼気測定結果情報を管理用の電子メールアドレス宛てに電子メールによって送信し（Ｓ１５４）、再びＳ１４１の処理に戻る。
【００８４】
制御部４１は、呼気測定結果情報を通信インターフェイス４２を介して呼気アルコール測定器２０から受信していないとＳ１５１において判断すると、再びＳ１４３の処理に戻る。
【００８５】
図１０は、管理用コンピューター５０の動作のフローチャートである。
【００８６】
管理用コンピューター５０は、操作部５４からの操作によって呼気測定の管理用のアプリケーションが起動されると、図１０に示す処理を開始する。
【００８７】
図１０に示すように、管理用コンピューター５０の制御部５１は、定期的な電子メールのチェック時間が経過したと判断するまで、定期的な電子メールのチェック時間が経過したか否かを判断する（Ｓ１６１）。
【００８８】
制御部５１は、定期的な電子メールのチェック時間が経過したとＳ１６１において判断すると、通信インターフェイス５２を介してインターネット１２に接続した後、管理用の電子メールアドレス宛ての新着メールが図示していない電子メールサーバーに有るか否かを判断する（Ｓ１６２）。
【００８９】
制御部５１は、新着メールが無いとＳ１６２において判断すると、再びＳ１６１の処理に戻る。
【００９０】
一方、制御部５１は、新着メールが有るとＳ１６２において判断すると、管理用の電子メールアドレス宛ての新着メールを電子メールサーバーから受信する（Ｓ１６３）。
【００９１】
次いで、制御部５１は、Ｓ１６３において受信した電子メールの内容を表示器５３に表示する（Ｓ１６４）。したがって、管理用コンピューター５０を使用している管理者は、電子メールによって送信されてきた呼気検知情報、周囲気体ＮＧ情報または呼気測定結果情報を認識することができる。ここで、管理者は、これらの情報に含まれているＩＤによって、これらの情報が何れの利用者の情報であるのかを認識することができる。
【００９２】
次いで、制御部５１は、Ｓ１６３において受信した電子メールの内容を記憶装置５５に記憶して（Ｓ１６５）、再びＳ１６１の処理に戻る。したがって、管理者は、電子メールによって送信されてきた呼気検知情報、周囲気体ＮＧ情報または呼気測定結果情報を何時でも確認することができる。
【００９３】
呼気アルコール測定器２０、携帯通信端末４０および管理用コンピューター５０が以上に説明したように動作するので、アルコール測定システム１０全体としては以下のように動作する。
【００９４】
利用者が携帯通信端末４０の操作部４５からの操作によって携帯通信端末４０の呼気測定用のアプリケーションを起動すると、携帯通信端末４０は、利用者にＩＤの入力を促す画面を表示器４４に表示する（Ｓ１４１）。そして、利用者は、操作部４５からの操作によってＩＤの入力を終了する（Ｓ１４２でＹＥＳ）。なお、携帯通信端末４０は、利用者がＩＤの入力を終了すると、利用者に呼気アルコール測定器２０の電源をＯＮにすることを促す画面を表示器４４に表示するようになっていても良い。
【００９５】
次いで、利用者が呼気アルコール測定器２０のスイッチ２６を押すことによって呼気アルコール測定器２０の電源をＯＮにすると、呼気アルコール測定器２０は、アルコールセンサー２９のウォームアップを開始した後（Ｓ１０１）、１５秒が経過すると（Ｓ１０２でＹＥＳ）、起動されてから累積で２秒以上の呼気の吹き込みがあったか否かを判断する（Ｓ１０３）。
【００９６】
利用者が呼気アルコール測定器２０の電源をＯＮにしてから累積で２秒以上の呼気の吹き込みを行っている場合（Ｓ１０３でＹＥＳ）、呼気アルコール測定器２０は、呼気検知情報を表示器２４およびブザー２５によって利用者に通知し（Ｓ１０４）、記憶装置３３に記憶し（Ｓ１０５）、携帯通信端末４０に送信して（Ｓ１０６）、電源をＯＦＦにする（Ｓ１０７）。携帯通信端末４０は、呼気検知情報を呼気アルコール測定器２０から受信すると（Ｓ１４３でＹＥＳ）、受信した呼気検知情報に、Ｓ１４２において入力されたＩＤを加えた後（Ｓ１４４）、呼気検知情報を記憶装置４６に記憶し（Ｓ１４５）、管理用の電子メールアドレス宛てに電子メールによって送信する（Ｓ１４６）。そして、管理用コンピューター５０は、定期的な電子メールのチェック時間が経過した場合に（Ｓ１６１でＹＥＳ）、管理用の電子メールアドレス宛ての新着メールが電子メールサーバーに有るとき（Ｓ１６２でＹＥＳ）、新着メールを電子メールサーバーから受信した後（Ｓ１６３）、受信した電子メールの内容である呼気検知情報を表示器５３に表示し（Ｓ１６４）、記憶装置５５に記憶する（Ｓ１６５）。
【００９７】
一方、利用者が呼気アルコール測定器２０の電源をＯＮにしてから累積で２秒以上の呼気の吹き込みを行っていない場合（Ｓ１０３でＮＯ）、呼気アルコール測定器２０は、周囲気体測定を実行する（Ｓ１２１）。
【００９８】
周囲気体測定によって測定されたアルコール濃度が所定の濃度以上である場合（Ｓ１２２でＹＥＳ）、呼気アルコール測定器２０は、周囲気体ＮＧ情報を表示器２４およびブザー２５によって利用者に通知し（Ｓ１２３）、記憶装置３３に記憶し（Ｓ１２４）、携帯通信端末４０に送信して（Ｓ１２５）、電源をＯＦＦにする（Ｓ１０７）。携帯通信端末４０は、周囲気体ＮＧ情報を呼気アルコール測定器２０から受信すると（Ｓ１４７でＹＥＳ）、受信した周囲気体ＮＧ情報に、Ｓ１４２において入力されたＩＤを加えた後（Ｓ１４８）、周囲気体ＮＧ情報を記憶装置４６に記憶し（Ｓ１４９）、管理用の電子メールアドレス宛てに電子メールによって送信する（Ｓ１５０）。そして、管理用コンピューター５０は、定期的な電子メールのチェック時間が経過した場合に（Ｓ１６１でＹＥＳ）、管理用の電子メールアドレス宛ての新着メールが電子メールサーバーに有るとき（Ｓ１６２でＹＥＳ）、新着メールを電子メールサーバーから受信した後（Ｓ１６３）、受信した電子メールの内容である周囲気体ＮＧ情報を表示器５３に表示し（Ｓ１６４）、記憶装置５５に記憶する（Ｓ１６５）。
【００９９】
一方、周囲気体測定によって測定されたアルコール濃度が所定の濃度以上ではない場合（Ｓ１２２でＮＯ）、呼気アルコール測定器２０は、利用者に対して呼気の吹き込みを表示器２４およびブザー２５によって促す（Ｓ１２６）。そして、利用者が連続して３秒以上の呼気の吹き込みを行うと（Ｓ１２７でＹＥＳ）、呼気アルコール測定器２０は、呼気測定を実行した後（Ｓ１２８）、呼気測定結果情報を表示器２４およびブザー２５によって利用者に通知し（Ｓ１２９）、記憶装置３３に記憶し（Ｓ１３０）、携帯通信端末４０に送信して（Ｓ１３１）、電源をＯＦＦにする（Ｓ１０７）。携帯通信端末４０は、呼気測定結果情報を呼気アルコール測定器２０から受信すると（Ｓ１５１でＹＥＳ）、受信した呼気測定結果情報に、Ｓ１４２において入力されたＩＤを加えた後（Ｓ１５２）、呼気測定結果情報を記憶装置４６に記憶し（Ｓ１５３）、管理用の電子メールアドレス宛てに電子メールによって送信する（Ｓ１５４）。そして、管理用コンピューター５０は、定期的な電子メールのチェック時間が経過した場合に（Ｓ１６１でＹＥＳ）、管理用の電子メールアドレス宛ての新着メールが電子メールサーバーに有るとき（Ｓ１６２でＹＥＳ）、新着メールを電子メールサーバーから受信した後（Ｓ１６３）、受信した電子メールの内容である呼気測定結果情報を表示器５３に表示し（Ｓ１６４）、記憶装置５５に記憶する（Ｓ１６５）。
【０１００】
以上に説明したように、呼気アルコール測定器２０は、呼気測定（Ｓ１２８）の開始前に周囲気体測定（Ｓ１２１）を実行し、周囲気体測定によって測定されたアルコール濃度が所定の濃度以上である場合に（Ｓ１２２でＹＥＳ）呼気測定の実行の開始を中止するので、周囲の気体中のアルコール濃度を呼気測定において誤って測定することを抑えることができる。
【０１０１】
呼気アルコール測定器２０は、呼気測定の度にアルコールセンサー２９のセル２９ｂ内に呼気を取り込む。呼気アルコール測定器２０は、仮に周囲気体測定を実行しない構成である場合であっても、呼気測定においてセル２９ｂ内に取り込んだ呼気中のアルコール濃度が次回の呼気測定までに触媒２９ａによってアルコールが完全に燃焼される程度に低ければ、セル２９ｂ内に残留した呼気によって次回の呼気測定においてアルコール濃度を誤って測定することはない。一方、呼気アルコール測定器２０は、仮に周囲気体測定を実行しない構成である場合に、呼気測定においてセル２９ｂ内に取り込んだ呼気中のアルコール濃度が次回の呼気測定までに触媒２９ａによってアルコールが完全に燃焼されない程度に高いとき、セル２９ｂ内に残留した呼気によって次回の呼気測定においてアルコール濃度を誤って測定してしまう。しかしながら、呼気アルコール測定器２０は、アルコール濃度が高い呼気が呼気測定によってアルコールセンサー２９のセル２９ｂ内に残留した場合であっても、次回の周囲気体測定によって測定されたアルコール濃度が所定の濃度以上であるときに次回の呼気測定の実行の開始を中止するので、セル２９ｂ内に残留した呼気によって次回の呼気測定においてアルコール濃度を誤って測定することを抑えることができる。
【０１０２】
利用者の中には、呼気中のアルコール濃度が高いという結果が呼気測定において出ることを避けるために、周囲気体測定において呼気を吹き込むことによって呼気中のアルコール濃度を呼気測定前に把握するという不正を働こうとする者が現れる可能性がある。呼気中のアルコール濃度が高いことを呼気測定前に不正に把握した利用者は、呼気測定を拒否したり、場合によっては呼気測定の実行を不可能にするために呼気アルコール測定器２０を壊したりする可能性もある。しかしながら、呼気アルコール測定器２０は、起動されてから累積で２秒以上の呼気の吹き込みがあった場合（Ｓ１０３でＹＥＳ）に周囲気体測定（Ｓ１２１）の実行の開始を中止するので、周囲気体測定において呼気を吹き込むことによって呼気中のアルコール濃度を呼気測定前に把握するという不正の発生を抑えることができる。
【０１０３】
また、利用者が周囲気体測定において呼気を吹き込むことによって呼気中のアルコール
濃度を呼気測定前に把握するという不正を働こうとする場合、呼気中のアルコール濃度が高い可能性が高い。呼気アルコール測定器２０は、周囲気体測定においてセル２９ｂ内に取り込んだ気体中のアルコール濃度が次回の呼気測定までに触媒２９ａによってアルコールが完全に燃焼されない程度に高いとき、セル２９ｂ内に残留した呼気によって次回の呼気測定においてアルコール濃度を誤って測定してしまう。しかしながら、呼気アルコール測定器２０は、起動されてから累積で２秒以上の呼気の吹き込みがあった場合（Ｓ１０３でＹＥＳ）に周囲気体測定（Ｓ１２１）の実行の開始を中止するので、セル２９ｂ内に残留した呼気によって次回の呼気測定においてアルコール濃度を誤って測定することを抑えることができる。
【０１０４】
また、呼気アルコール測定器２０は、周囲気体測定の実行の開始の中止を判断する（Ｓ１０３）ための呼気の量と、呼気測定の実行を判断する（Ｓ１２７）ための呼気の量とを同一の流量センサー２８によって検知するので、部品点数を抑えることができる。
【０１０５】
また、呼気アルコール測定器２０は、呼気検知情報を表示器２４およびブザー２５によって利用者に通知する（Ｓ１０４）ので、呼気検知情報を利用者に認識させることができる。また、呼気アルコール測定器２０は、周囲気体ＮＧ情報を表示器２４およびブザー２５によって利用者に通知する（Ｓ１２３）ので、周囲気体ＮＧ情報を利用者に認識させることができる。
【０１０６】
また、呼気アルコール測定器２０は、呼気検知情報を記憶装置３３に記憶する（Ｓ１０５）ので、呼気検知情報を残すことができる。また、呼気アルコール測定器２０は、周囲気体ＮＧ情報を記憶装置３３に記憶する（Ｓ１２４）ので、周囲気体ＮＧ情報を残すことができる。
【０１０７】
また、呼気アルコール測定器２０は、呼気検知情報を携帯通信端末４０に送信する（Ｓ１０６）ので、呼気検知情報を携帯通信端末４０に利用させることができる。また、呼気アルコール測定器２０は、周囲気体ＮＧ情報を携帯通信端末４０に送信する（Ｓ１２５）ので、周囲気体ＮＧ情報を携帯通信端末４０に利用させることができる。
【０１０８】
なお、アルコール測定システム１０は、本実施の形態において、呼気検知情報、周囲気体ＮＧ情報、呼気測定結果情報などの各種の情報を、管理用の電子メールアドレス宛てに電子メールによって送信するようになっているが、管理用の電子メールアドレス宛てに電子メールによって送信しないようになっていても良い。すなわち、アルコール測定システム１０は、利用者から離れた場所に設置されている管理用コンピューター５０を備えていない構成であっても良い。
【０１０９】
また、呼気アルコール測定器２０は、本実施の形態において本発明の呼気アルコール測定方法を制御部２７によって実行するようになっているが、携帯通信端末４０などの外部の装置によって制御されて本発明の呼気アルコール測定方法を実行するようになっていても良い。
【０１１０】
また、呼気アルコール測定器２０は、本実施の形態において携帯通信端末４０に接続されて動作するようになっているが、携帯通信端末４０の機能を呼気アルコール測定器２０自身で備えている構成であっても良い。
【０１１１】
また、呼気アルコール測定器２０は、本実施の形態において、呼気が吹き込まれた時間によって呼気の量を判断しているが、時間以外の観点で呼気の量を判断する構成であっても良い。例えば、呼気アルコール測定器２０は、呼気の実際の体積によって呼気の量を判断するようになっていても良い。
【０１１２】
また、本発明の呼気センサーは、本実施の形態において流量センサー２８であるが、吹き込まれた呼気を検知するセンサーであれば、流量センサー以外のセンサーであっても良い。
【０１１３】
また、アルコールセンサー２９は、本実施の形態において燃料電池式のアルコールセンサーであるが、気体中のアルコール濃度を測定するセンサーであれば、燃料電池式以外の方式のアルコールセンサーであっても良い。
【符号の説明】
【０１１４】
２０  呼気アルコール測定器
２７  制御部（呼気測定手段、周囲気体測定手段、呼気検知結果通知手段、呼気検知結果記憶手段、呼気検知結果送信手段、周囲気体測定結果通知手段、周囲気体測定結果記憶手段、周囲気体測定結果送信手段）
２８  流量センサー（呼気センサー）
２９  アルコールセンサー
２９ａ  触媒
２９ｂ  セル（ケース）
【要約】
【課題】  周囲の気体中のアルコール濃度を誤って測定することを抑えることができる呼気アルコール測定器を提供する。
【解決手段】  呼気中のアルコール濃度の測定である呼気測定と、周囲の気体中のアルコール濃度の測定である周囲気体測定とを実行する呼気アルコール測定器は、呼気測定（Ｓ１２８）の開始前に周囲気体測定（Ｓ１２１）を実行し、周囲気体測定によって測定されたアルコール濃度が呼気測定の実行の開始の中止のための所定の濃度以上である場合（Ｓ１２２でＹＥＳ）、呼気測定の実行の開始を中止することを特徴とする。
【選択図】  図８【図１】
0004785994.tif 000002
【図２】
0004785994.tif 000003
【図３】
0004785994.tif 000004
【図４】
0004785994.tif 000005
【図５】
0004785994.tif 000006
【図６】
0004785994.tif 000007
【図７】
0004785994.tif 000008
【図８】
0004785994.tif 000009
【図９】
0004785994.tif 000010
【図１０】
0004785994.tif 000011